(57)【特許請求の範囲】
【請求項１】
被印字媒体に所定の情報を印字する印字機構と、この印字機構を取り付けるプリンタ本体と、このプリンタ本体に軸支して開閉回動するとともに前記印字機構を保護するカバーと、を有するプリンタ用カバーの軸支装置であって、前記プリンタ本体に固定する本体側ヒンジブラケットと、前記カバーの回動軸線に沿ってこの本体側ヒンジブラケットに軸支して固定するとともに雄ネジあるいは雌ネジのいずれか一方を形成した本体側軸支用ダンパスクリュウと、前記カバーに固定するカバー側ヒンジブラケットと、このカバー側ヒンジブラケットに軸支して固定するとともに前記本体側軸支用ダンパスクリュウの雄ネジあるいは雌ネジのいずれか一方に係合可能な雌ネジあるいは雄ネジのいずれか一方を形成したカバー側軸支用ダンパスクリュウと、
前記本体側軸支用ダンパスクリュウと前記カバー側軸支用ダンパスクリュウとの間に、第１の開度調節機構と、前記本体側ヒンジブラケットと前記本体側軸支用ダンパスクリュウとの間に、第２の開度調節機構と、前記カバー側ヒンジブラケットと前記カバー側軸支用ダンパスクリュウとの間に、第３の開度調節機構と、
を有することを特徴とするプリンタ用カバーの軸支装置。
【請求項２】
前記本体側軸支用ダンパスクリュウないし前記カバー側軸支用ダンパスクリュウが右ネジ方向に進む方向において前記カバーが前記プリンタ本体に向かって閉鎖回動することを特徴とする請求項１記載のプリンタ用カバーの軸支装置。
【請求項３】
前記第１の開度調節機構は、サラバネを有することを特徴とする請求項１記載のプリンタ用カバーの軸支装置。
【請求項４】
前記第１の開度調節機構は、コイルバネを有することを特徴とする請求項１記載のプリンタ用カバーの軸支装置。
【請求項５】
前記第２の開度調節機構は、前記本体側ヒンジブラケットに前記本体側軸支用ダンパスクリュウの回動方向において所定間隔をあけて形成した複数個のブラケット側調節用切込み部と、これらのブラケット側調節用切込み部に係合するように前記本体側軸支用ダンパスクリュウの円周方向に所定間隔をあけて形成した複数個のスクリュウ側調節用切込み部と、を有することを特徴とする請求項１記載のプリンタ用カバーの軸支装置。
【請求項６】
前記第３の開度調節機構は、前記カバー側ヒンジブラケットに前記カバー側軸支用ダンパスクリュウの回動方向において所定間隔をあけて形成した複数個のブラケット側調節用切込み部と、これらのブラケット側調節用切込み部に係合するように前記カバー側軸支用ダンパスクリュウの円周方向に所定間隔をあけて形成した複数個のスクリュウ側調節用切込み部と、を有することを特徴とする請求項１記載のプリンタ用カバーの軸支装置。
【請求項７】
前記本体側軸支用ダンパスクリュウあるいは前記カバー側軸支用ダンパスクリュウの少なくともいずれか一方は、これを角柱状としたことを特徴とする請求項１記載のプリンタ用カバーの軸支装置。
【発明の詳細な説明】
【０００１】
【産業上の利用分野】
本発明はプリンタ用カバーの軸支装置にかかるもので、とくにプリンタ用カバーの開閉にともなう指先などのケガを防止可能なプリンタ用カバーの軸支装置に関するものである。
【０００２】
【従来の技術】
従来の各種プリンタにおいて、被印字媒体の供給軸および印字機構などの諸機構を保護するためにカバーを開閉可能に設けているものがある。
カバー開閉のために単純なヒンジ機構を設けてあるプリンタの場合には、このヒンジ機構を軸線としてカバーが回動するのみであり、とくにヒンジ機構が水平方向に位置している場合には、カバーの開閉時にカバーが開方向ないしは閉方向に自然開閉してプリンタ本体に衝突するように回動するため、カバーとプリンタ本体との間に操作者が手や指をはさんで思わぬケガをする場合があった。
【０００３】
こうしたケガを防止するために、カバーの開閉が急激に行われないように、油圧などによるダンパ機構を設けることも考えられるが、構造が複雑化あるいは大型化するばかりか、コストの上昇という問題がある。
【０００４】
とくに被印字媒体として、小売り店における値札あるいは下げ札や、各種工場において部品ないし工程管理用に使用されるされるラベルなどに印字するためのプリンタとしては、その小型化および構造単純化のために簡単なプリンタ用カバーの軸支装置が要請されているという問題がある。
【０００５】
【発明が解決しようとする課題】
本発明は以上のような諸問題にかんがみなされたもので、カバーの開閉時、とくに閉鎖時にプリンタ本体に衝突するようにカバーが自然閉鎖することを防止することにより安全性を向上させることができるプリンタ用カバーの軸支装置を提供することを課題とする。
【０００６】
また本発明は、構造が簡単で、プリンタの小型化およびコストダウンが可能なプリンタ用カバーの軸支装置を提供することを課題とする。
【０００７】
さらに本発明は、組立て性が良いとともに、精度もそれほど必要としないプリンタ用カバーの軸支装置を提供することを課題とする。
【０００８】
【課題を解決する為の手段】
すなわち本発明は、プリンタ用カバーのダンパ機構としてねじ込み式の回動軸を用いることに着目したもので、被印字媒体に所定の情報を印字する印字機構と、この印字機構を取り付けるプリンタ本体と、このプリンタ本体に軸支して開閉回動するとともに上記印字機構を保護するカバーと、を有するプリンタ用カバーの軸支装置であって、上記プリンタ本体に固定する本体側ヒンジブラケットと、上記カバーの回動軸線に沿ってこの本体側ヒンジブラケットに軸支して固定するとともに雄ネジあるいは雌ネジのいずれか一方を形成した本体側軸支用ダンパスクリュウと、上記カバーに固定するカバー側ヒンジブラケットと、このカバー側ヒンジブラケットに軸支して固定するとともに上記本体側軸支用ダンパスクリュウの雄ネジあるいは雌ネジのいずれか一方に係合可能な雌ネジあるいは雄ネジのいずれか一方を形成したカバー側軸支用ダンパスクリュウと、前記本体側軸支用ダンパスクリュウと前記カバー側軸支用ダンパスクリュウとの間に、第１の開度調節機構と、前記本体側ヒンジブラケットと前記本体側軸支用ダンパスクリュウとの間に、第２の開度調節機構と、前記カバー側ヒンジブラケットと前記カバー側軸支用ダンパスクリュウとの間に、第３の開度調節機構と、を有することを特徴とするプリンタ用カバーの軸支装置である。
【０００９】
上記本体側軸支用ダンパスクリュウないし上記カバー側軸支用ダンパスクリュウが右ネジ方向に進む方向において上記カバーが上記プリンタ本体に向かって閉鎖回動することができる。
【００１１】
上記本体側軸支用ダンパスクリュウと上記カバー側軸支用ダンパスクリュウとの間に、第１の開度調節機構を設けることによって当該カバーの軸線方向における上記本体側軸支用ダンパスクリュウと上記カバー側軸支用ダンパスクリュウとの間の相対位置関係を調節し、カバーの開度、すなわちカバーの回動量にともなうネジの締まり程度を調節することができる。
上記第１の開度調節機構は、サラバネあるいはコイルバネを有することができる。
【００１２】
上記本体側ヒンジブラケットと上記本体側軸支用ダンパスクリュウとの間に、第２の開度調節機構を設けることによって当該カバーの回動方向における上記本体側ヒンジブラケットと上記本体側軸支用ダンパスクリュウとの間の相対位置関係を調節し、カバーの開度を調節することができる。
【００１３】
上記第２の開度調節機構は、上記本体側ヒンジブラケットに上記本体側軸支用ダンパスクリュウの回動方向において所定間隔をあけて形成した複数個のフラットカットなどによるブラケット側調節用切込み部と、これらのブラケット側調節用切込み部に係合するように上記本体側軸支用ダンパスクリュウの円周方向に所定間隔をあけて形成した複数個のフラットカットなどによるスクリュウ側調節用切込み部と、を有することができる。
【００１４】
上記カバー側ヒンジブラケットと上記カバー側軸支用ダンパスクリュウとの間に、第３の開度調節機構を設けることによって上記第２の開度調節機構と同様に、上記カバー側ヒンジブラケットと上記カバー側軸支用ダンパスクリュウとの間の当該カバーの回動方向における上記カバー側ヒンジブラケットと上記カバー側軸支用ダンパスクリュウとの間の相対位置関係を調節し、カバーの開度を調節することができる。
【００１５】
上記第３の開度調節機構は、上記カバー側ヒンジブラケットに上記カバー側軸支用ダンパスクリュウの回動方向において所定間隔をあけて形成した複数個のフラットカットなどによるブラケット側調節用切込み部と、これらのブラケット側調節用切込み部に係合するように上記カバー側軸支用ダンパスクリュウの円周方向に所定間隔をあけて形成した複数個のフラットカットなどによるスクリュウ側調節用切込み部と、を有することができる。
【００１６】
上記ブラケット側調節用切込み部およびスクリュウ側調節用切込み部を有する第２の開度調節機構あるいは第３の開度調節機構に替えて、上記本体側軸支用ダンパスクリュウあるいは上記カバー側軸支用ダンパスクリュウの少なくともいずれか一方は、これを角柱状とすることによりカバーの開度を調節することができる。
【００２２】
【作用】
本発明によるプリンタ用カバーの軸支装置においては、プリンタ用カバーのダンパ機構としてねじ込み式の回動軸（本体側軸支用ダンパスクリュウおよびカバー側軸支用ダンパスクリュウ）を用いたので、ネジの進む方向（右ネジ方向）においてカバーが閉鎖するように組み付ければ、カバーの閉鎖方向への回動にともなって本体側軸支用ダンパスクリュウおよびカバー側軸支用ダンパスクリュウのネジが締まってゆき、カバーの完全閉鎖の前にブレーキをかけることが可能となり、カバーが自然閉鎖するようにプリンタ本体に衝突することを回避することができるため、カバーとプリンタ本体との間に手や指をはさんでケガをすることを防止可能である。
【００２３】
さらに、サラバネもしくはコイルバネなどの第１の開度調節機構を設けることにより、あるいは複数個のブラケット側調節用切込み部および複数個のスクリュウ側調節用切込み部を有する第２の開度調節機構ないしは第３の開度調節機構を設けることにより、あるいは本体側軸支用ダンパスクリュウあるいはカバー側軸支用ダンパスクリュウの少なくともいずれか一方を角柱状とすることにより、カバーの回動にともなうこのネジの締まり具合つまりブレーキのかけ具合を調節することができる。
【００２４】
またカバーがその開放状態において当接可能な上記保護部材を設ければ、カバーの開放方向における手や指のケガを防止することも可能である。
【００２５】
【実施例】
つぎに、本発明の一実施例によるプリンタ用カバーの軸支装置を図１ないし図１２にもとづき説明する。
図１は、カバー付きプリンタ１の全体斜視図であって、カバー付きプリンタ１は、任意の印字方式の（たとえば熱転写式の）プリンタであって、プリンタ本体２と、カバー３と、プリンタ用カバーの軸支装置４と、を有する。
【００２６】
図２は、プリンタ用カバーの軸支装置４を軸線としてカバー３を開放回動した状態の斜視図、図３は、カバー付きプリンタ１の正面図であって、カバー３の開放状態を仮想線で示している。
とくに図２に示すように、プリンタ本体２はその内部に、ラベルあるいは下げ札などの被印字媒体の供給軸５と、熱転写リボンの供給軸６および巻取り軸７と、被印字媒体に所定の情報を印字するためのサーマルヘッド８およびプラテンローラ９を有する印字機構１０と、その他必要な機構（図示せず）と、を設けてあり、カバー３を開放することによって被印字媒体および熱転写リボンの装填および内部のこれらの機構についての保守点検作業を可能としている。
なお、プリンタ本体２とカバー３との間の繰出し用窓部１１から印字ずみの被印字媒体を排出可能としている。
【００２７】
プリンタ用カバーの軸支装置４は、図２に示すように、たとえばその一対を水平方向に設けてカバー３をプリンタ本体２に開閉可能に軸支するもので、図４ないし図１２にもとづき以下説明する。
図４は、プリンタ用カバーの軸支装置４の分解斜視図で、プリンタ用カバーの軸支装置４は、本体側ヒンジブラケット１２と、本体側軸支用ダンパスクリュウ１３と、カバー側ヒンジブラケット１４と、カバー側軸支用ダンパスクリュウ１５と、複数個のサラバネ１６（第１の開度調節機構）と、止め用ワッシャ１７と、保護部材１８（図１１および図１２を参照）と、を有する。
これら各部材は、カバー３の回動軸線３Ａに沿ってこれを配列し組み付けてある。
【００２８】
図５は、本体側ヒンジブラケット１２およびカバー側ヒンジブラケット１４の斜視図であって、本体側ヒンジブラケット１２は、止めネジ１９（図４）によりこれをプリンタ本体２に固定するもので、一対の軸支ブラケット部分１２Ａおよび１２Ｂと、プリンタ本体２のヒンジ固定部２Ａ（図４）に直接ネジ止めする固定ブラケット部分１２Ｃと、を有する。
軸支ブラケット部分１２Ａには円形の軸支穴１２Ｄを形成し、軸支ブラケット部分１２Ｂには対向する一対のフラットカット１２Ｅ（ブラケット側調節用切込み部）を有する軸支穴１２Ｆを形成し、固定ブラケット部分１２Ｃには一対のネジ穴１２Ｇを形成する。
【００２９】
カバー側ヒンジブラケット１４は、止めネジ２０（図４）によりこれをカバー３に固定するもので、一対の軸支ブラケット部分１４Ａおよび１４Ｂと、カバー３の裏側に（図１１を参照）直接ネジ止めする固定ブラケット部分１４Ｃと、を有する。
軸支ブラケット部分１４Ａには円形の軸支穴１４Ｄを形成し、軸支ブラケット部分１４Ｂには対向する二対のフラットカット１４Ｅ（ブラケット側調節用切込み部）を有する軸支穴１４Ｆを形成し、固定ブラケット部分１４Ｃには一対のネジ穴１４Ｇを形成する。
【００３０】
図６は、本体側軸支用ダンパスクリュウ１３およびカバー側軸支用ダンパスクリュウ１５の断面図および側面図であり、本体側軸支用ダンパスクリュウ１３は、本体側ヒンジブラケット１２の軸支ブラケット部分１２Ａと軸支ブラケット部分１２Ｂとの間に係合固定するもので、円形の軸支穴１２Ｄに係合する円形端部１３Ａと、軸支穴１２Ｆの一対のフラットカット１２Ｅに係合する一対のフラットカット１３Ｂ（スクリュウ側調節用切込み部）を形成した調節用端部１３Ｃと、その内壁面に回動軸線３Ａ方向に形成した雌ネジ１３Ｄと、を有する。
【００３１】
カバー側軸支用ダンパスクリュウ１５は、カバー側ヒンジブラケット１４の軸支ブラケット部分１４Ａと軸支ブラケット部分１４Ｂとの間に係合固定するもので、円形の軸支穴１４Ｄに係合する円形端部１５Ａと、軸支穴１４Ｆの二対のフラットカット１４Ｅに係合する二対のフラットカット１５Ｂ（スクリュウ側調節用切込み部）を形成した調節用端部１５Ｃと、回動軸線３Ａ方向に突出形成するとともに本体側軸支用ダンパスクリュウ１３の雌ネジ１３Ｄに係合する雄ネジ１５Ｄと、を有する。
【００３２】
図７および図８は、本体側軸支用ダンパスクリュウ１３とカバー側軸支用ダンパスクリュウ１５とのネジ結合による締まってゆく状態を示す側面図である。
図示のように、本体側軸支用ダンパスクリュウ１３とカバー側軸支用ダンパスクリュウ１５との間に複数個のサラバネ１６を雄ネジ１５Ｄに貫通させて設け、雄ネジ１５Ｄを雌ネジ１３Ｄと係合させた状態で回転させてゆけば、図７のように本体側軸支用ダンパスクリュウ１３およびカバー側軸支用ダンパスクリュウ１５は互いに接近し、さらに回転させればネジの締め付けにより回転に抵抗がかかるとともにサラバネ１６の弾性変形によるテンションも加わってダンパ機能が発揮され、図８に示すように、これ以上は回転しない締め付け状態となる。
本体側軸支用ダンパスクリュウ１３およびカバー側軸支用ダンパスクリュウ１５を上述とは反対方向に回転させれば、雌ネジ１３Ｄおよび雄ネジ１５Ｄは互いに離れつつゆるんでゆく。
【００３３】
したがって、カバー側ヒンジブラケット１４を介してカバー側軸支用ダンパスクリュウ１５に係合しているカバー３は、本体側軸支用ダンパスクリュウ１３に係合しているプリンタ本体２に対して開閉動作をすることになる。
【００３４】
雄ネジ１５Ｄが雌ネジ１３Ｄからぬけ出る（左ネジ方向の）ときにカバー３を開放方向とし、雌ネジ１３Ｄの内方に係合してゆく（右ネジ方向の）ときをカバー３の閉鎖方向とすれば、カバー３の閉鎖時にカバー３の自重によりカバー３がプリンタ本体２に向かって衝突するように閉鎖することを防止することができるため、カバー３とプリンタ本体２との間に操作者が手や指などを挟むおそれを回避することができる。
なお開放状態のケガ防止構造については、図１１および図１２にもとづき保護部材１８について述べるときに説明する。
【００３５】
なお雌ネジ１３Ｄと雄ネジ１５Ｄとは、ネジの雄雌関係を互いに逆にしてもよい。すなわち、本体側軸支用ダンパスクリュウ１３側に雄ネジを形成し、カバー側軸支用ダンパスクリュウ１５側にこの雄ネジに係合可能な雌ネジを形成すればよい。
【００３６】
サラバネ１６は、カバー３の回動軸線３Ａ方向において本体側軸支用ダンパスクリュウ１３とカバー側軸支用ダンパスクリュウ１５との間の開度をその弾性力により調節する第１の開度調節機構として機能するもので、コイルスプリングを用いてもよい。
【００３７】
本体側ヒンジブラケット１２の軸支穴１２Ｆは、本体側軸支用ダンパスクリュウ１３の調節用端部１３Ｃとともに第２の開度調節機構として機能する。
すなわち本体側軸支用ダンパスクリュウ１３を本体側ヒンジブラケット１２の軸支ブラケット部分１２Ｂとの係合を解除した状態で半回転させれば、軸支穴１２Ｆの一対のフラットカット１２Ｅに対して調節用端部１３Ｃの一対のフラットカット１３Ｂを１８０度だけ回動方向においてずらせることができ、本体側軸支用ダンパスクリュウ１３とカバー側軸支用ダンパスクリュウ１５との間のネジの締まり程度を調節することができる。
【００３８】
さらにカバー側ヒンジブラケット１４の軸支穴１４Ｆ部分は、カバー側軸支用ダンパスクリュウ１５の調節用端部１５Ｃとともに第３の開度調節機構として機能する。
すなわちカバー側軸支用ダンパスクリュウ１５をカバー側ヒンジブラケット１４の軸支ブラケット部分１４Ｂとの係合を解除した状態で半回転および四半回転させることができ、軸支穴１４Ｆの二対のフラットカット１４Ｅに対して調節用端部１５Ｃの二対のフラットカット１５Ｂを９０度、１８０度あるいは２７０度だけ回動方向においてずらせることができ、第２の開度調節機構と同様に、本体側軸支用ダンパスクリュウ１３とカバー側軸支用ダンパスクリュウ１５との間のネジの締まり程度を調節することができる。
【００３９】
したがって、カバー３とプリンタ本体２との間に手や指を挟む手前でカバー３が停止するとともに、この停止状態から操作者がわずかに押すだけでカバー３がプリンタ本体２に当接して閉鎖状態となるように、第１、第２および第３の開度調節機構をそれぞれ設定すればよい。
【００４０】
カバー３の回動方向においてその開度を調節可能とする上記第２および第３の開度調節機構については、本体側軸支用ダンパスクリュウ１３あるいはカバー側軸支用ダンパスクリュウ１５に任意の数のフラットカット（調節用切込み部）を形成することにより、本体側軸支用ダンパスクリュウ１３およびカバー側軸支用ダンパスクリュウ１５について所望の相対角度を得ることができる。
【００４１】
たとえば図９は、調節用端部１３Ｃあるいは調節用端部１５Ｃ部分の他の例を示す軸方向の側面図であって、この例では三個のフラットカットを形成してあるが任意の数でよい。
もちろん、これらフラットカットの数に応じて本体側ヒンジブラケット１２の軸支ブラケット部分１２Ｂにおけるフラットカット１２Ｅ、およびカバー側ヒンジブラケット１４の軸支ブラケット部分１４Ｂにおけるフラットカット１４Ｅを形成するものとする。
【００４２】
なお本発明においては、上述のフラットカット１３Ｂおよび１５Ｂに代わって本体側軸支用ダンパスクリュウ１３あるいはカバー側軸支用ダンパスクリュウ１５を角柱状とすることにより、同様の開度調節機能を得ることができる。
すなわち、図１０は、本体側軸支用ダンパスクリュウ１３あるいはカバー側軸支用ダンパスクリュウ１５全体を角柱、たとえば六角柱とした場合の斜視図であって、この他にも任意の角柱を採用することができる。
【００４３】
図１１は、回動軸線３Ａ方向から見たプリンタ用カバーの軸支装置４の側面図、図１２は、カバー付きプリンタ１のとくに保護部材１８部分を示す平面図である。
保護部材１８は、プリンタ本体側保護部材２１とカバー側保護部材２２とを有する。
プリンタ本体側保護部材２１は、プリンタ本体２の端部を保護する本体側平坦部２１Ａと、この本体側平坦部２１Ａと一体であってプリンタ用カバーの軸支装置４の本体側ヒンジブラケット１２および本体側軸支用ダンパスクリュウ１３を保護する本体側半円形部２１Ｂと、を有する。
【００４４】
カバー側保護部材２２は、カバー３の端部を保護するカバー側平坦部２２Ａと、このカバー側平坦部２２Ａと一体であってプリンタ用カバーの軸支装置４のカバー側ヒンジブラケット１４およびカバー側軸支用ダンパスクリュウ１５を保護するカバー側半円形部２２Ｂと、を有する。
【００４５】
図１１に実線で示した本体側ヒンジブラケット１２（本体側軸支用ダンパスクリュウ１３）およびカバー側ヒンジブラケット１４（カバー側軸支用ダンパスクリュウ１５）の間の角度が直角の状態において、カバー３がプリンタ本体２にちょうど閉鎖した状態となるように前述の第１、第２および第３の開度調節機構をそれぞれ構成するものとする。
【００４６】
プリンタ本体側保護部材２１を止めネジ２３によりプリンタ本体２に固定するとともに、カバー側保護部材２２を止めネジ２４によりカバー３に固定する。
【００４７】
プリンタ本体側保護部材２１における本体側平坦部２１Ａの本体側半円形部２１Ｂ側の端部に沿って長さ方向に本体側ストッパー用傾斜部２１Ｃを形成するとともに、カバー側保護部材２２におけるカバー側平坦部２２Ａのカバー側半円形部２２Ｂ側の端部に沿って長さ方向にカバー側ストッパー用傾斜部２２Ｃを形成する。
【００４８】
図１２に仮想線で図示のように、カバー３の開放回動により、カバー側保護部材２２のカバー側ストッパー用傾斜部２２Ｃがプリンタ本体側保護部材２１の本体側ストッパー用傾斜部２１Ｃに当接することにより、これ以上のカバー３の開放回動を阻止するため、カバー３とプリンタ本体２との間に手や指を挟むことを回避することができる。
【００４９】
【発明の効果】
以上のように本発明によれば、本体側軸支用ダンパスクリュウおよびカバー側軸支用ダンパスクリュウのネジ機構によってカバーの閉鎖方向への回動にともないカバーに回動抵抗を与えるようにしたので、簡単かつ低コストでダンパ機能を果たすことができ、プリンタ本体との間に手や指を挟むケガの防止を確実に行うことができる。
【００５０】
【図面の簡単な説明】
【図１】本発明の一実施例によるプリンタ用カバーの軸支装置４を採用したカバー付きプリンタ１の全体斜視図である。
【図２】同、プリンタ用カバーの軸支装置４を軸線としてカバー３を開放回動した状態の斜視図である。
【図３】同、カバー付きプリンタ１の正面図であって、カバー３の開放状態を仮想線で示している。
【図４】同、プリンタ用カバーの軸支装置４の分解斜視図である。
【図５】同、、本体側ヒンジブラケット１２およびカバー側ヒンジブラケット１４の斜視図である。
【図６】同、本体側軸支用ダンパスクリュウ１３およびカバー側軸支用ダンパスクリュウ１５の断面図および側面図である。
【図７】同、本体側軸支用ダンパスクリュウ１３とカバー側軸支用ダンパスクリュウ１５とのネジ結合による締まってゆく初期の状態を示す側面図である。
【図８】同、本体側軸支用ダンパスクリュウ１３とカバー側軸支用ダンパスクリュウ１５とのネジ結合により締まった最終の状態を示す側面図である。
【図９】同、調節用端部１３Ｃあるいは調節用端部１５Ｃ部分の他の例を示す軸方向の側面図である。
【図１０】同、本体側軸支用ダンパスクリュウ１３あるいはカバー側軸支用ダンパスクリュウ１５全体を角柱、たとえば六角柱とした場合の斜視図である。
【図１１】同、回動軸線３Ａ方向から見たプリンタ用カバーの軸支装置４の側面図である。
【図１２】同、カバー付きプリンタ１のとくに保護部材１８部分を示す平面図である。
【符号の説明】
１カバー付きプリンタ
２プリンタ本体
２Ａ  プリンタ本体２のヒンジ固定部
３カバー
３Ａ  カバー３の回動軸線
４プリンタ用カバーの軸支装置
５ラベルあるいは下げ札などの被印字媒体の供給軸
６熱転写リボンの供給軸
７熱転写リボンの巻取り軸
８サーマルヘッド
９プラテンローラ
１０  印字機構
１１  繰出し用窓部
１２  本体側ヒンジブラケット
１２Ａ  本体側ヒンジブラケット１２の軸支ブラケット部分
１２Ｂ  本体側ヒンジブラケット１２の軸支ブラケット部分
１２Ｃ  本体側ヒンジブラケット１２の固定ブラケット部分
１２Ｄ  本体側ヒンジブラケット１２の円形の軸支穴
１２Ｅ  本体側ヒンジブラケット１２の一対のフラットカット（ブラケット側調節用切込み部）
１２Ｆ  本体側ヒンジブラケット１２の軸支穴
１２Ｇ  本体側ヒンジブラケット１２の一対のネジ穴
１３  本体側軸支用ダンパスクリュウ
１３Ａ  本体側軸支用ダンパスクリュウ１３の円形端部
１３Ｂ  本体側軸支用ダンパスクリュウ１３の一対のフラットカット（スクリュウ側調節用切込み部）
１３Ｃ  本体側軸支用ダンパスクリュウ１３の調節用端部
１３Ｄ  本体側軸支用ダンパスクリュウ１３の雌ネジ
１４  カバー側ヒンジブラケット
１４Ａ  カバー側ヒンジブラケット１４の軸支ブラケット部分
１４Ｂ  カバー側ヒンジブラケット１４の軸支ブラケット部分
１４Ｃ  カバー側ヒンジブラケット１４の固定ブラケット部分
１４Ｄ  カバー側ヒンジブラケット１４の円形の軸支穴
１４Ｅ  カバー側ヒンジブラケット１４の二対のフラットカット（ブラケット側調節用切込み部）
１４Ｆ  カバー側ヒンジブラケット１４の軸支穴
１４Ｇ  カバー側ヒンジブラケット１４の一対のネジ穴
１５  カバー側軸支用ダンパスクリュウ
１５Ａ  カバー側軸支用ダンパスクリュウ１５の円形端部
１５Ｂ  カバー側軸支用ダンパスクリュウ１５の二対のフラットカット（スクリュウ側調節用切込み部）
１５Ｃ  カバー側軸支用ダンパスクリュウ１５の調節用端部
１５Ｄ  カバー側軸支用ダンパスクリュウ１５の雄ネジ
１６  サラバネ（第１の開度調節機構）
１７  止め用ワッシャ
１８  保護部材
１９  止めネジ
２０  止めネジ
２１  保護部材１８のプリンタ本体側保護部材
２１Ａ  プリンタ本体側保護部材２１の本体側平坦部
２１Ｂ  プリンタ本体側保護部材２１の本体側半円形部
２１Ｃ  プリンタ本体側保護部材２１の本体側ストッパー用傾斜部
２２  保護部材１８のカバー側保護部材
２２Ａ  カバー側保護部材２２のカバー側平坦部
２２Ｂ  カバー側保護部材２２のカバー側半円形部
２２Ｃ  カバー側保護部材２２のカバー側ストッパー用傾斜部
２３  止めネジ
２４  止めネジ
【図１】
0003604760.tif 000002
【図２】
0003604760.tif 000003
【図３】
0003604760.tif 000004
【図４】
0003604760.tif 000005
【図５】
0003604760.tif 000006
【図６】
0003604760.tif 000007
【図７】
0003604760.tif 000008
【図８】
0003604760.tif 000009
【図９】
0003604760.tif 000010
【図１０】
0003604760.tif 000011
【図１１】
0003604760.tif 000012
【図１２】
0003604760.tif 000013